(57)【要約】【課題】【解決手段】繊維コンクリート内で分解可能な材料によって形成された閉鎖補強繊維袋（２）であって、内部に補強繊維（３）が互いに遊離した状態で存在しており、この補強繊維（３）は繊維袋（２）内において実質的に互いに平行に配置されていることを特徴とする繊維袋に関する。また、本発明はこのような繊維袋（２）を複数個備えている鎖状袋（１）に関する。【選択図】図１
2004525831.tif 000002
【特許請求の範囲】
【請求項１】
繊維コンクリート内で分解可能な材料によって形成され、内部に補強繊維（３）が互いに遊離した状態で存在するような閉鎖補強繊維袋（２）であって、前記補強繊維（３）が実質的に互いに平行に配置されていることを特徴とする閉鎖補強繊維袋。
【請求項２】
前記補強繊維（３）の長さが実質的に前記繊維袋（２）の長さと一致し、前記補強繊維が前記繊維袋の長さ方向に沿って配置されていることを特徴とする請求項１に記載の閉鎖補強繊維袋。
【請求項３】
前記補強繊維（３）の長さが実質的に前記繊維袋（２）の幅と一致し、前記補強繊維が前記繊維袋(２)の幅方向に沿って配置されていることを特徴とする請求項１に記載の閉鎖補強繊維袋。
【請求項４】
前記補強繊維（３）の充填度が少なくとも７５％であることを特徴とする請求項２または３のいずれかに記載の閉鎖補強繊維袋。
【請求項５】
前記補強繊維（３）が鋼で形成されていることを特徴とする請求項１から請求項４のいずれかに記載の閉鎖補強繊維袋。
【請求項６】
請求項１から請求項５のいずれかに記載の閉鎖繊維袋を複数個備えている鎖状包装体。
【請求項７】
前記繊維袋（２）が互いに連結されていることを特徴とする請求項６に記載の鎖状包装体。
【請求項８】
前記繊維袋が互いに線状に連結されていることを特徴とする請求項７に記載の鎖状包装体。
【発明の詳細な説明】
【技術分野】
【０００１】
本発明は、繊維コンクリート内で分解可能な材料によって形成された閉鎖補強繊維袋(closed reinforcement fiber package)であって、内部に補強繊維が互いに遊離(loose)した状態で存在するような繊維袋に関する。
【背景技術】
【０００２】
このような閉鎖補強繊維袋は、すでに特許文献１および特許文献２によってよく知られている。
【０００３】
コンクリートの混合中に補強繊維を互いに遊離した状態で添加することによって繊維コンクリートを得る方法の欠点は、得られた繊維コンクリート内で補強繊維が不均一に分散または分布しがちな点にある。
【０００４】
本発明の目的はこのような欠点を解消することにある。
【特許文献１】
独国特許出願公開第４，２１４，５４０号明細書
【特許文献２】
国際公開第９５／１１８６１号パンフレット
【発明の開示】
【発明が解決しようとする課題】
【０００５】
従って、本発明は、冒頭に述べた閉鎖補強繊維袋であって、繊維袋内に補強繊維が実質的に互いに平行に配置されるような繊維袋を提供するものである。
【課題を解決するための手段】
【０００６】
本発明による閉鎖補強繊維袋の好ましい実施形態によれば、補強繊維の長さは実質的に繊維袋の長さと一致し、繊維は繊維袋内の長さ方向に沿って配置されるか、または補強繊維の長さは実質的に繊維袋の幅と一致し、繊維は繊維袋の幅方向に沿って配置されることを特徴としている。
【０００７】
互いに遊離した補強繊維を実質的に互いに平行に配置して、すなわち、本発明による閉鎖袋内におけるように配置してコンクリートミキサー内に供給することによって、繊維コンクリートの混合中における補強繊維の分布または分散を改善できることが判明している。
【０００８】
なお、補強繊維を実質的に互いに平行に配置した状態で袋詰めする方法はすでに知られている。一例がＢＥ−Ａ−１．００３．６５６（８９０１３５０）に開示されている。この例では、互いに平行に配置された補強繊維の端部は特定の接着剤(glue)によって被覆され、かつ互いに連結されている。他の例がＷＯ９６／０２７１５に開示されている。この例では、互いに平行に配置された補強繊維は、例えば、特定のケーシング材料によって包囲されているが、それらの補強繊維の端部はケーシング材料によって被覆、すなわち、包囲されていない。
【０００９】
上記の繊維袋と本発明による繊維袋との大きな違いは、本発明による袋が閉鎖されている点にある。閉鎖袋の利点は、輸送中などに補強繊維が閉鎖袋から離脱しないという点にある。このような閉鎖袋を用いて、本発明による鎖状包装体を得ることができる。
【００１０】
本発明による繊維袋の他の好ましい実施態様によれば、閉鎖袋内における補強繊維の充填度は少なくとも７５％に設定されている。
【００１１】
本発明による繊維袋のさらに他の好ましい実施態様によれば、補強繊維は鋼繊維で形成されている。
【００１２】
「繊維コンクリート」という用語は硬化可能な材料であって、その材料の特性を改善するための鋼繊維、ガラス繊維、または合成繊維（例えば、ポリプロピレン繊維）のような補強繊維を有している材料を意味している。
【００１３】
本発明は、さらに本発明による閉鎖袋を複数個備えた鎖状包装体に関する。
【００１４】
本発明による鎖状包装体の好ましい実施態様によれば、閉鎖袋は互いに連結されている。
【００１５】
本発明による鎖状包装体のさらに他の実施態様によれば、閉鎖袋は互いに線状に(in line)連結されている。
【００１６】
本発明による鎖状包装体の利点は、正確な量の補強繊維を混合サイロまたはコンクリートミキサーに極めて簡単に供給できる点にある。
【００１７】
正確な量の補強繊維（例えば、鋼繊維）を供給するのは極めて困難である。特に、ビルディングの現場でコンクリートの混合を行なう場合に正確な量の補強繊維を供給するのは困難である。
【００１８】
このような困難さを解消する多くの方法が、例えば、ＥＰ−Ａ−５２２，０２９（ＷＯ９１／１４５１１）、ＥＰ−Ａ−４９９，５７２、ＥＰ−Ａ−４９９，５７３、ＤＥ２９７１４７０４Ｕ、ＤＥ−Ａ−３，４１２，２１６、ＤＥ−Ａ−４，４２７，１５６、ＦＲ−Ａ−２，６７２，０４５および他の多くの特許文献おいて提案されている。
【００１９】
これらの公知の方法の欠点はそれらの方法がすべて複雑な構造の添加機械(dosing machine)または秤量機械(weighing machine)を必要とする点にある。
【００２０】
他の欠点は、コンクリート混合設備またはビルディングヤードにおいて補強繊維を添加または秤量するのは手間が掛かり、時間を必要とする点にある。
【００２１】
本発明による鎖状包装体を用いることによって、正確な量の補強繊維を混合サイロまたはコンクリートミキサーに極めて簡単に供給することができる。また、補強繊維の製造中に正確な量の補強繊維をサックのような閉鎖袋に供給することができる。その結果、コンベヤベルト、ロールシステム、または他の同様の供給装置によって正確な量の補強繊維を混合サイロに供給することができる。この場合、上記の添加作業または秤量作業の代わりに、連続的な鎖状包装体の長さを測定するかまたは混合サイロに供給される袋の数をカウントすればよい。
【発明を実施するための最良の形態】
【００２２】
以下、本発明を添付の図面に基づく実施例によってさらに詳細に説明する。
【００２３】
図１および図２は、本発明による閉鎖繊維袋と鎖状包装体の一部を示す概略破断図である。
【００２４】
図１において、本発明による鎖状包装体は、参照番号１で総称的に示されている。鎖状包装体１は、互いに連結されている多数のサック２で構成されている。サック２は、モルタルまたはコンクリートに分解可能な材料によって形成されるとよい。サック、すなわち、包装体２は完全に閉鎖されている。
【００２５】
前述したように、水に分解するセルロースなどで形成されたサックに袋詰めされた成分をコンクリートに混合する方法はすでに知られている。好ましくは、サック２は、セルロースの箔で形成されているとよい。このような箔は、例えば、紙工業の分野で知られている紙の基本的材料として用いられている。コンクリートに無害の膠および充填剤が箔に加えられてもよい。サック２は、水溶性の熱接着剤によって互いに接着され、かつ閉鎖されている。しかし、通常の混合時間以内にコンクリート水に分解する箔を用いるべきであることは明らかである。
【００２６】
図１において、サック２に袋詰めされた補強繊維は参照番号３によって示されている。補強繊維３は、その繊維に必要とされる要件および補強される繊維コンクリートに必要とされる要件を満足する限り、どのような種類の材料から形成されてもよい。好ましくは、例えば、出願人であるＮ．Ｖ．Ｂｅｋａｅｒｔ  Ｓ．Ａ．からドラミックス（ＤＲＡＭＩＸ）の商標で市販されている鋼繊維を補強繊維３として用いるとよい。通常、５００から３０００Ｎ／ｍｍ2の範囲内の引張力を有する鋼繊維３が用いられている。
【００２７】
用いる繊維は、例えば、直線状繊維であってもよい。このような繊維は、最も単純かつ安価な補強繊維として有効である。好ましくは、補強繊維３は引張応力が付加された場合も硬化したコンクリート材料から離脱し難いような形状を有しているとよい。そのためには、繊維は波形状または長さ方向に沿って断面が変化するような形状を有しているとよい。鋼繊維の厚みまたは直径は、好ましくは０．１５ないし１．２ｍｍの範囲内であるとよい。鋼繊維の長さ／直径比は、実用性および経済性の観点から１０ないし２００の範囲内、好ましくは４０以下であるとよい。非直線状の繊維を用いる場合、その長さは繊維の両端の直線距離で表され、長さに沿って直径が変化するときは、その繊維の直径は全長にわたって変化する直径の値の平均値で表される。
【００２８】
図１に示すように、補強繊維３は、好ましくはサック２内において実質的に互いに平行に配置されるとよい。鋼繊維の場合、各サック２における全繊維の重量は１００ｇから２ｋｇの範囲内であるとよい。なお、２ｋｇを超えるサックであっても問題なく用いることができる。
【００２９】
前述のような補強繊維の袋詰めおよび秤量は、鋼繊維の実際の製造と一貫して行なうことができるし、鋼繊維の製造現場から離れた他の場所において行なうこともできる。例えば、鋼繊維３を磁気力によって実質的に互いに平行に配置させることができる。
【００３０】
好ましくは、鋼繊維３の長さはサック２の長さと実質的に一致し、鋼繊維３はサック２の長さ方向に沿って配置されている。鎖状包装体１は、好ましくは線状に連結されるサック２で構成されている。あるいは、鋼繊維３の長さをサック２の幅と実質的に一致させ、繊維３をサック２の幅方向に沿って配置してもよい。
【００３１】
好ましくは、袋（すなわち、サック）２の輸送中に補強繊維３が互いに平行な位置に維持されるように、袋２は実質的に完全に補強繊維３によって充填されるとよい。袋２の輸送中に補強繊維３を互いに平行な位置に維持するには、袋２への補強繊維３の充填度は少なくとも７５％に設定すべきであることが判明している。充填度はサック、すなわち、袋２の体積に対する補強繊維３の体積の比率である。
【００３２】
上記の説明から明らかなように、本発明による鎖状包装体１によれば、連続的なそれらの鎖状包装体１を混合サイロにコンベヤベルトのような簡単な輸送手段によって容易に供給することができ、またサック２の数を簡単な計数器によって計数するかまたは供給される鎖状包装体の長さを簡単な測定装置によって測定することによって混合サイロに供給される補強繊維３の重量を容易に定めることができる。
【００３３】
図２は鎖状包装体１を示している。図示するように、袋、すなわち、サック２の片側がテープ、すなわち、帯片４に連結されている。帯片４の代わりに、ワイヤまたはコードなどを用いてもよい。帯片４は、補強されるコンクリートに分解可能な材料から形成されている。
【国際公開パンフレット】
2004525831.tif 000003
2004525831.tif 000004
2004525831.tif 000005
2004525831.tif 000006
2004525831.tif 000007
2004525831.tif 000008
2004525831.tif 000009
2004525831.tif 000010
2004525831.tif 000011
2004525831.tif 000012
2004525831.tif 000013
2004525831.tif 000014
2004525831.tif 000015
【国際調査報告】
2004525831.tif 000016
2004525831.tif 000017
2004525831.tif 000018